(57)【特許請求の範囲】
【請求項１】
サイズが大きい縦長の形態からサイズがその半分の横長の形態にまで中身の大きさに応じてサイズが余った下部を背面側に折り返して変形できる主収納部と、
前記主収納部の表面上部に取り付けた前側握り把手と、
前記主収納部の背面上部に取り付けた背側握り把手とを備え、
前記主収納部には、前記主収納部の下部を背面側に折り返して前記サイズが半分の横長の形態にした時に表側になる上半部の背面側に、少なくとも下側が開口するように背側目隠しパーツを取り付け、前記中身の大きさに応じてサイズが余った下部を前記背面側に折り返し、前記サイズが余り折り返した下部を前記背側目隠しパーツと前記上半部の背面との隙間に前記下側の開口部から差し込み、折り返し状態を保持するようにした使用形態の変更が可能なバッグであって、
前記主収納部の縦長状態での大きさからその半分の横長状態での大きさまで前記中身の大きさに応じて収納容積を変化させて２ウェイに使用できるようにしたことを特徴とする使用形態の変更が可能なバッグ。
【請求項２】
請求項１に記載の使用形態の変更が可能なバッグにおいて、さらに、
前記主収納部の前記上半部の背面側の両側縁の上下中央部それぞれに、側方への展開と前記主収納部の背面側への折り込みとが可能で、前記展開状態で側方へ突出する先端にストラップ接続用のＤカンが取り付けられた耳部を設け、
前記上半部の背面側の左右上端部それぞれにストラップ接続用のＤカンを設け、
前記主収納部の表面の上部に上ポケットを形成し、前記上ポケット内に前記前側握り把手の基部を縫い付けて、当該前側握り把手を不使用時に当該上ポケット内に収納できるようにし、
前記背側目隠しパーツの上部に背側ポケットを形成し、前記背側ポケット内に前記背側握り把手の基部を縫い付けて、当該背側握り把手を不使用時に当該背側ポケット内に収納できるようにした使用形態の変更が可能なバッグであって、
前記左右両方の耳部を前記主収納部の背面側に折り込み、前記主収納部を縦長状態あるいは横長状態にして前記前側握り把手と背側握り把手を共に持って運ぶ縦型あるいは横型手提げバッグとし、
前記前側握り把手を前記上ポケット内に収納しかつ前記背側握り把手を前記背側ポケット内に収納し、前記主収納部を横長に二つ折りし、前記左右いずれか片側の耳部を引き出して前記ショルダーストラップの一端を前記耳部のストラップ接続用のＤカンに接続し、前記ショルダーストラップの他端を前記主収納部の左右上端部のいずれかのストラップ接続用のＤカンを接続することによってたすき掛けにして使用する縦型ボディバッグとし、
前記前側握り把手を前記上ポケット内に収納しかつ前記背側握り把手を前記背側ポケット内に収納し、前記主収納部を横長に二つ折りし、前記左右両方の耳部を側方に展開させてそれぞれのＤカンに前記ショルダーストラップの両端それぞれを接続することによってウエストバッグとし、
前記前側握り把手を前記上ポケット内に収納しかつ前記背側握り把手を前記背側ポケット内に収納し、前記主収納部を横長に二つ折りし、前記左右両方の耳部を前記主収納部の背面側に折り込んだ状態にしてクラッチバッグとし、
前記主収納部を縦長状態あるいは横長状態にし、前記前側握り把手を前記上ポケット内に収納しかつ前記背側握り把手を前記背側ポケット内に収納し、前記左右両方の耳部を前記主収納部の背面側に折り込み、前記主収納部の両側縁の上端部それぞれのストラップ接続用のＤカンそれぞれにショルダーストラップの両端それぞれを接続することによって縦型あるいは横型ショルダーバッグとし、
前記縦型手提げバッグ、横型手提げバッグ、縦型ボディバッグ、ウエストバッグ、クラッチバッグ、縦型ショルダーバッグ、横型ショルダーバッグのマルチウェイに使用できるようにしたことを特徴とする使用形態の変更が可能なバッグ。
【請求項３】
前記主収納部の前記背側目隠しパーツの両側部それぞれに、前記耳部それぞれを差し込み、表側からは見えないようにするための耳出し入れ用開口部を設けたことを特徴とする請求項２に記載の使用形態の変更が可能なバッグ。
【請求項４】
前記主収納部は、前記サイズが大きい縦長の形態ではＡ３サイズの書類若しくはＡ３ファイルが入り、前記サイズが半分の横長の形態ではＡ４サイズの書類若しくはＡ４ファイルが入る大きさにしたことを特徴とする請求項１〜３のいずれかに記載の使用形態の変更が可能なバッグ。
【請求項５】
横長の主収納部の表面上部に前側握り把手を取り付け、
前記主収納部の背面上部に背側握り把手を取り付け、
前記主収納部の背面側の片方の側縁の上下中央部に、側方へ突出するその先端にストラップ接続用のＤカンが取り付けられた耳部を取り付け、
前記主収納部の背面の前記耳部とは反対側の側縁部の上端部又は下端部にストラップ接続用のＤカンを取り付けた使用形態の変更が可能なバッグであって、
前記前側握り把手と背側握り把手とを持って運ぶ横型手提げバッグとし、
前記耳部の先端のストラップ接続用のＤカンと前記主収納部の前記側縁部の上端部又は下端部のストラップ接続用のＤカンとのそれぞれにショルダーストラップの両端それぞれを接続することによってたすき掛けにして使用する縦型ボディバッグとし、
前記横型手提げバッグと縦型ボディバッグとの２ウェイに使用できるようにしたことを特徴とする使用形態の変更が可能なバッグ。
【請求項６】
前記主収納部の背面側に、前記耳部を前記背面側に折り返して先端から差し込み、その状態を保持して前記主収納部の表側からは見えないようにするための耳出し入れ用開口部を設け、
前記主収納部の表面の上部に上ポケットを形成し、
前記上ポケット内に前記前側握り把手の基部を縫い付けて、当該前側握り把手の不使用時に当該前側握り把手を下側に倒して当該上ポケット内に収納できるようにし、
前記主収納部の背面側の上部に背側ポケットを形成し、
前記背側ポケット内に前記背側握り把手の基部を縫い付けて、当該背側握り把手の不使用時に当該背側握り把手を下側に倒して当該背側ポケット内に収納できるようにし、
前記横型手提げバッグとして使用する時には、前記主収納部の背面側に前記耳部を折り返して前記耳出し入れ用開口部に先端から差し込んでその状態を保持し、表側からは見えないようにし、前記前側握り把手を前記上ポケットから上側に起こし、前記背側握り把手を前記背側ポケットから上側に起こし、当該前側握り把手、背側握り把手を同時に持って運べるようにし、
前記縦型ショルダーバッグとして使用する時には、前記前側握り把手を下側に倒して前記上ポケット内に収納し、前記背側握り把手を下側に倒して前記背側ポケット内に収納して、かつ、前記耳部を前記耳出し入れ用開口部から引き出して側方に広げ、当該耳部の先端のストラップ接続用のＤカンと前記主収納部の前記側縁部の上端部又は下端部のストラップ接続用のＤカンとのそれぞれにショルダーストラップの両端それぞれを接続することによってたすき掛けにして使用できるようにしたことを特徴とする請求項５に記載の使用形態の変更が可能なバッグ。
【請求項７】
横長の主収納部の表面上部に前側握り把手を取り付け、
前記主収納部の背面上部に背側握り把手を取り付け、
前記主収納部の表面の上部に上ポケットを形成し、前記上ポケット内に前記前側握り把手の基部を縫い付けて、当該前側握り把手を不使用時に当該上ポケット内に収納できるようにし、
前記主収納部の背面側の上部に背側ポケットを形成し、前記背側ポケット内に前記背側握り把手の基部を縫い付けて、当該背側握り把手を不使用時に当該背側ポケット内に収納できるようにし、
前記主収納部の背面側の片方の側縁の上下中央部に、展開状態で側方へ突出するその先端にストラップ接続用のＤカンが取り付けられた耳部を前記主収納部から側方への展開と前記主収納部の背面側への折り込みとが可能なように取り付け、
前記主収納部の背面の左右上端部それぞれにストラップ接続用のＤカンを取り付けた使用形態の変更が可能なバッグであって、
前記耳部は側方に展開させないで前記主収納部の背面側に折り込み、前記前側握り把手と背側握り把手とを持って持ち運ぶ横型手提げバッグとし、
前記前側握り把手を前記上ポケット内に収納しかつ前記背側握り把手を前記背側ポケット内に収納し、前記左右のストラップ接続用のＤカンそれぞれにショルダーストラップの両端それぞれを接続することによって横型ショルダーバッグとし、
前記耳部を側方に展開させないで前記主収納部の背面側に折り込み、前記前側握り把手を前記上ポケット内に収納しかつ前記背側握り把手を前記背側ポケット内に収納することによってクラッチバッグとし、
前記前側握り把手を前記上ポケット内に収納しかつ前記背側握り把手を前記背側ポケット内に収納し、前記主収納部の片方の側縁の耳部を側方に展開して前記ショルダーストラップの一端を前記耳部の先端のストラップ接続用のＤカンに接続し、前記ショルダーストラップの他端を前記主収納部の左右上端部のいずれかのストラップ接続用のＤカンに接続することによってたすき掛けで使用する縦型ボディバッグとし、
前記横型手提げバッグ、横型ショルダーバッグ、クラッチバッグ、縦型ボディバッグのマルチウェイに使用できるようにしたことを特徴とする使用形態の変更が可能なバッグ。
【請求項８】
前記主収納部の背面側に、前記耳部をその不使用時に折り返して差し込み、表側からは見えないようにするための耳出し入れ用開口部を設けたことを特徴とする請求項７に記載の使用形態の変更が可能なバッグ。 
【発明の詳細な説明】
【技術分野】
【０００１】
本発明は、収納部のサイズや形態を変更でき、多様な使い方ができる使用形態の変更が可能なバッグに関する。
【背景技術】
【０００２】
従来、マルチウェイバッグとして、例えば、特開２００２−１４２８２６号公報（特許文献１）、実用新案登録第３１７５１９５号公報（特許文献２）、実用新案登録第３１９６７１号公報（特許文献３）のように、ブリーフケース（手提げ式鞄）、ショルダーバッグ（肩掛け式鞄）、リュックサック（背負い式鞄）として使用できる、いわゆるマルチウェイバッグが知られている。
【０００３】
しかしながら、従来、収納部そのもののサイズを大小変化させ、かつ多様な持ち運び方ができるようにしたマルチウェイバッグは知られていない。
【０００４】
また横型の手提げバッグと耳部を引き出し、バッグ直づけのＤカンと耳部先端のＤカンとを利用する縦型のボディバッグとの間で形態を変化させて使用できるようにしたツーウェイバッグも知られていない。 
【先行技術文献】
【特許文献】
【０００５】
【特許文献１】特開２００２−１４２８２６号公報
【特許文献２】実用新案登録第３１７５１９５号公報
【特許文献３】実用新案登録第３１９１６７１号公報
【発明の概要】
【発明が解決しようとする課題】
【０００６】
本発明は、このような従来技術の課題に鑑みてなされたもので、収納部のサイズを大小変化させることができるツーウェイバックとして使用できる使用形態の変更が可能なバッグを提供することを目的とする。 
【０００７】
また本発明は、収納部のサイズを大小変化させると共に、多様な持ち運び方ができるマルチウェイバックとして使用できる使用形態の変更が可能なバッグを提供することを目的とする。 
【０００８】
さらに本発明は、横型の手提げバッグと耳部を引き出し、バッグ直づけのＤカンと耳部先端のＤカンとを利用する縦型のボディバッグとの間で形態を変化させてツーウェイバッグとして使用できる使用形態の変更が可能なバッグを提供することを目的とする。 
【課題を解決するための手段】
【０００９】
本発明は、サイズが大きい縦長の形態からサイズがその半分の横長の形態にまで中身の大きさに応じてサイズが余った下部を背面側に折り返して変形できる主収納部と、前記主収納部の表面上部に取り付けた前側握り把手と、前記主収納部の背面上部に取り付けた背側握り把手とを備え、前記主収納部には、前記主収納部の下部を背面側に折り返して前記サイズが半分の横長の形態にした時に表側になる上半部の背面側に、少なくとも下側が開口するように背側目隠しパーツを取り付け、前記中身の大きさに応じてサイズが余った下部を前記背面側に折り返し、前記サイズが余り折り返した下部を前記背側目隠しパーツと前記上半部の背面との隙間に前記下側の開口部から差し込み、折り返し状態を保持するようにした使用形態の変更が可能なバッグであって、前記主収納部の縦長状態での大きさからその半分の横長状態での大きさまで前記中身の大きさに応じて収納容積を変化させて２ウェイに使用できるようにした使用形態の変更が可能なバッグを特徴とする。 
【００１０】
上記の使用形態の変更が可能なバッグでは、さらに、前記主収納部の前記上半部の背面側の両側縁の上下中央部それぞれに、側方への展開と前記主収納部の背面側への折り込みとが可能で、前記展開状態で側方へ突出する先端にストラップ接続用のＤカンが取り付けられた耳部を設け、前記上半部の背面側の左右上端部それぞれにストラップ接続用のＤカンを設け、前記主収納部の表面の上部に上ポケットを形成し、前記上ポケット内に前記前側握り把手の基部を縫い付けて、当該前側握り把手を不使用時に当該上ポケット内に収納できるようにし、前記背側目隠しパーツの上部に背側ポケットを形成し、前記背側ポケット内に前記背側握り把手の基部を縫い付けて、当該背側握り把手を不使用時に当該背側ポケット内に収納できるようにした使用形態の変更が可能なバッグであって、前記左右両方の耳部を前記主収納部の背面側に折り込み、前記主収納部を縦長状態あるいは横長状態にして前記前側握り把手と背側握り把手を共に持って運ぶ縦型あるいは横型手提げバッグとし、前記前側握り把手を前記上ポケット内に収納しかつ前記背側握り把手を前記背側ポケット内に収納し、前記主収納部を横長に二つ折りし、前記左右いずれか片側の耳部を引き出して前記ショルダーストラップの一端を前記耳部のストラップ接続用のＤカンに接続し、前記ショルダーストラップの他端を前記主収納部の左右上端部のいずれかのストラップ接続用のＤカンを接続することによってたすき掛けにして使用する縦型ボディバッグとし、前記前側握り把手を前記上ポケット内に収納しかつ前記背側握り把手を前記背側ポケット内に収納し、前記主収納部を横長に二つ折りし、前記左右両方の耳部を側方に展開させてそれぞれのＤカンに前記ショルダーストラップの両端それぞれを接続することによってウエストバッグとし、前記前側握り把手を前記上ポケット内に収納しかつ前記背側握り把手を前記背側ポケット内に収納し、前記主収納部を横長に二つ折りし、前記左右両方の耳部を前記主収納部の背面側に折り込んだ状態にしてクラッチバッグとし、前記主収納部を縦長状態あるいは横長状態にし、前記前側握り把手を前記上ポケット内に収納しかつ前記背側握り把手を前記背側ポケット内に収納し、前記左右両方の耳部を前記主収納部の背面側に折り込み、前記主収納部の両側縁の上端部それぞれのストラップ接続用のＤカンそれぞれにショルダーストラップの両端それぞれを接続することによって縦型あるいは横型ショルダーバッグとし、前記縦型手提げバッグ、横型手提げバッグ、縦型ボディバッグ、ウエストバッグ、クラッチバッグ、縦型ショルダーバッグ、横型ショルダーバッグのマルチウェイに使用できるものとすることができる。 
【００１１】
また上記使用形態の変更が可能なバッグでは、前記主収納部の前記背側目隠しパーツの両側部それぞれに、前記耳部それぞれを差し込み、表側からは見えないようにするための耳出し入れ用開口部を設けたものとすることができる。 
【００１２】
さらに、上記使用形態の変更が可能なバッグでは、前記主収納部は、前記サイズが大きい縦長の形態ではＡ３サイズの書類若しくはＡ３ファイルが入り、前記サイズが半分の横長の形態ではＡ４サイズの書類若しくはＡ４ファイルが入る大きさにすることができる。 
【００１３】
また本発明は、横長の主収納部の表面上部に前側握り把手を取り付け、前記主収納部の背面上部に背側握り把手を取り付け、前記主収納部の背面側の片方の側縁の上下中央部に、展開状態で側方へ突出するその先端にストラップ接続用のＤカンが取り付けられた耳部を前記主収納部から前記側方への展開と前記主収納部の背面側への折り込みとが可能なように取り付け、前記主収納部の背面の前記耳部とは反対側の側縁部の上端部又は下端部にストラップ接続用のＤカンを取り付けることにより、前記耳部は側方に展開させずに前記主収納部の背面側に折り返し、前記前側握り把手と背側握り把手とを持って運ぶ横型手提げバッグとし、前記耳部を側方に展開させ、当該耳部の先端のストラップ接続用のＤカンと前記主収納部の前記側縁部の上端部又は下端部のストラップ接続用のＤカンとのそれぞれにショルダーストラップの両端それぞれを接続することによってたすき掛けにして使用する縦型ボディバッグとし、前記横型手提げバッグと縦型ボディバッグとの２ウェイに使用できるようにした使用形態の変更が可能なバッグを特徴とする。 
【００１４】
上記の使用形態の変更が可能なバッグでは、前記主収納部の背面側に、前記耳部を前記背面側に折り返して先端から差し込み、その状態を保持して前記主収納部の表側からは見えないようにするための耳出し入れ用開口部を設け、前記主収納部の表面の上部に上ポケットを形成し、前記上ポケット内に前記前側握り把手の基部を縫い付けて、当該前側握り把手の不使用時に当該前側握り把手を下側に倒して当該上ポケット内に収納できるようにし、前記主収納部の背面側の上部に背側ポケットを形成し、前記背側ポケット内に前記背側握り把手の基部を縫い付けて、当該背側握り把手の不使用時に当該背側握り把手を下側に倒して当該背側ポケット内に収納できるようにし、前記横型手提げバッグとして使用する時には、前記主収納部の背面側に前記耳部を折り返して前記耳出し入れ用開口部に先端から差し込んでその状態を保持し、表側からは見えないようにし、前記前側握り把手を前記上ポケットから上側に起こし、前記背側握り把手を前記背側ポケットから上側に起こし、当該前側握り把手、背側握り把手を同時に持って運べるようにし、前記縦型ショルダーバッグとして使用する時には、前記前側握り把手を下側に倒して前記上ポケット内に収納し、前記背側握り把手を下側に倒して前記背側ポケット内に収納して、かつ、前記耳部を前記耳出し入れ用開口部から引き出して側方に広げ、当該耳部の先端のストラップ接続用のＤカンと前記主収納部の前記側縁部の上端部又は下端部のストラップ接続用のＤカンとのそれぞれにショルダーストラップの両端それぞれを接続することによってたすき掛けにして使用できるものとすることができる。 
【００１５】
さらに本発明は、横長の主収納部の表面上部に前側握り把手を取り付け、前記主収納部の背面上部に背側握り把手を取り付け、前記主収納部の表面の上部に上ポケットを形成し、前記上ポケット内に前記前側握り把手の基部を縫い付けて、当該前側握り把手を不使用時に当該上ポケット内に収納できるようにし、前記主収納部の背面側の上部に背側ポケットを形成し、前記背側ポケット内に前記背側握り把手の基部を縫い付けて、当該背側握り把手を不使用時に当該背側ポケット内に収納できるようにし、前記主収納部の背面側の片方の側縁の上下中央部に、展開状態で側方へ突出するその先端にストラップ接続用のＤカンが取り付けられた耳部を前記主収納部から側方への展開と前記主収納部の背面側への折り込みとが可能なように取り付け、前記主収納部の背面の左右上端部それぞれにストラップ接続用のＤカンを取り付けることらより、前記耳部は側方に展開させないで前記主収納部の背面側に折り込み、前記前側握り把手と背側握り把手とを持って持ち運ぶ横型手提げバッグとし、前記前側握り把手を前記上ポケット内に収納しかつ前記背側握り把手を前記背側ポケット内に収納し、前記左右のストラップ接続用のＤカンそれぞれにショルダーストラップの両端それぞれを接続することによって横型ショルダーバッグとし、前記耳部を側方に展開させないで前記主収納部の背面側に折り込み、前記前側握り把手を前記上ポケット内に収納しかつ前記背側握り把手を前記背側ポケット内に収納することによってクラッチバッグとし、前記前側握り把手を前記上ポケット内に収納しかつ前記背側握り把手を前記背側ポケット内に収納し、前記主収納部の片方の側縁の耳部を側方に展開して前記ショルダーストラップの一端を前記耳部の先端のストラップ接続用のＤカンに接続し、前記ショルダーストラップの他端を前記主収納部の左右上端部のいずれかのストラップ接続用のＤカンに接続することによってたすき掛けで使用する縦型ボディバッグとし、前記横型手提げバッグ、横型ショルダーバッグ、クラッチバッグ、縦型ボディバッグのマルチウェイに使用できるようにした使用形態の変更が可能なバッグを特徴とする。 
【００１６】
上記のマルチウェイバッグでは、前記主収納部の背面側に、前記耳部をその不使用時に折り返して差し込み、表側からは見えないようにするための耳出し入れ用開口部を設けたものとすることができる。
【発明の効果】
【００１７】
本願発明の使用形態の変更が可能なバッグによれば、主収納部の下部を背面側に折り返し背側目隠しパーツと主収納部の上半部の背面との隙間に差し込むことによってその下部を折り返し状態に保持することができ、主収納部の縦長状態での大きさからその半分の横長状態での大きさまで中身の大きさに応じて自在に収納容積を変化させることができる利便性がある。 
【００１８】
また本願発明の使用形態の変更が可能なバッグによれば、主収納部を二つ折りしたり展開したりすることによって縦長で使用したり横長で使用したりすることができ、しかも縦長状態、横長状態それぞれで握り把手を持って縦型あるいは横型手提げバッグとして使用したり、ストラップ接続用のＤカンにショルダーストラップのナスカンを接続することによって縦型あるいは横型のショルダーバッグとして使用したり、横長に二つ折りした状態でそのままクラッチバッグとして使用したり、片側の耳部を引き出してショルダーストラップを接続することによりたすき掛けの縦型ボディバッグとして使用したり、さらには両方の耳部を引き出してそれぞれのＤカンにストラップを接続することによってウエストバッグとして使用したりすることができ、７ウェイに使用できる利便性がある。 
【００１９】
また本願発明の使用形態の変更が可能なバッグによれば、主収納部を横長状態で握り把手を持って横型手提げバッグとして使用したり、耳部を引き出してその先端のＤカンと反対側の位置のストラップ接続用のＤカンとにショルダーストラップを接続することにより縦型ボディバッグとして使用したりすることができ、２ウェイに使用できる利便性がある。 
【００２０】
さらに本願発明の使用形態の変更が可能なバッグによれば、主収納部を横長状態で握り把手を持って横型手提げバッグとして使用したり、耳部を引き出してその先端のＤカンと反対側の位置のストラップ接続用のＤカンとにショルダーストラップを接続することにより縦型ボディバッグとして使用したり、主収容部の背面の左右上端部のＤカンそれぞれにストラップを接続することによって横型ショルダーバッグとして使用したり、耳部、握り把手を収納した状態ですっきりした外観のクラッチバッグとして使用したりすることができ、４ウェイに使用できる利便性がある。 
【図面の簡単な説明】
【００２１】
【図１】本発明の１つの実施の形態の７ウェイバッグの縦型手提げ形態の正面図。
【図２】上記実施の形態の７ウェイバッグの縦型手提げ形態の背面図。
【図３】上記実施の形態の７ウェイバッグの縦型手提げ形態から横型手提げ形態に変形する途中の状態を示す背面図。
【図４】上記実施の形態の７ウェイバッグの横型手提げ形態の正面図。
【図５】上記実施の形態の７ウェイバッグのボディバッグ形態の正面図。
【図６】上記実施の形態の７ウェイバッグの横型手提げ形態からボディバッグ形態に変形する際の把手の収納時の状態を示す上方からの斜視図。
【図７】上記実施の形態の７ウェイバッグの横型手提げ形態からボディバッグ形態に変形する際の耳部の引き出し途中の状態を示す背方からの斜視図。
【図８】上記実施の形態の７ウェイバッグの横型手提げ形態からボディバッグ形態に変形する際のＤカンへの接続動作を示す背面図。
【図９】上記実施の形態の７ウェイバッグのボディバッグ形態に変形する際に反対の向きに変形した状態を背面図。
【図１０】上記実施の形態の７ウェイバッグのウエストバッグ形態の正面図。
【図１１】上記実施の形態の７ウェイバッグのクラッチバッグ形態の正面図。
【図１２】上記実施の形態の７ウェイバッグの横型ショルダーバッグ形態の正面図。
【図１３】上記実施の形態の７ウェイバッグのクラッチバッグ形態から横型ショルダーバッグ形態への変形時の耳部の収納とストラップの接続の動作を示す側方からの斜視図。
【図１４】上記実施の形態の７ウェイバッグの縦型ショルダーバッグ形態の正面図。
【図１５】上記実施の形態の７ウェイバッグの横型ショルダーバッグ形態から縦型ショルダーバッグ形態へ変形する途中の状態を示す背面図。
【図１６】本発明の第２の実施の形態の２ウェイバッグの正面図。
【図１７】上記第２の実施の形態の２ウェイバッグの背面図。
【図１８】本発明の第３の実施の形態の４ウェイバッグの背面図。
【発明を実施するための形態】
【００２２】
以下、本発明の実施の形態を図に基づいて詳説する。
【００２３】
＜第１の実施の形態＞
図１、図２は本発明の１つの実施の形態の７ウェイバッグ１のサイズが大きい縦型手提げ形態１−１の正面図、背面図を示している。本実施の形態の７ウェイバッグ１は、この図１、図２に示す縦長で大きいサイズの縦型手提げ形態１−１、図４に示す横長で半分のサイズの横型手提げ形態１−２、図５、図８に示す半分のサイズで縦長にしてたすき掛けで使用するボディバッグ形態１−３あるいは図９に示す左右逆のボディバッグ形態１−３Ｒ、図１０に示すウエストバッグ形態１−４、図１１に示すクラッチバッグ形態１−５、図１２に示す横型ショルダーバッグ形態１−６、そして図１４に示す縦型ショルダーバッグ形態１−７の７形態間で任意に変形して使用できるマルチウェイバッグである。その素材には皮革、合成皮革、布製のいずれを採用することも可能である。
【００２４】
図１、図２に示すように、本実施の形態の７ウェイバッグ１は、特にサイズが限定されるものではないが、例えば、Ａ３サイズの用紙を縦長にして収納できる内容積の主収納部１００を備えている。この主収納部１００は上半部１０１と下半部１０２とに二つ折りすることができ、二つ折りすれば少なくとも上半部１０１にはＡ４サイズの用紙を横長にして収納できる内容積になる。主収納部１００の上半部１０１の上縁全長とその上縁から一方の側面のほぼ全長に渡る長さの上開口部１０３が設けてあり、線状ファスナーにてＬ字状に開閉できるようにしてある。
【００２５】
上半部１０１の表面の上端近くには上ポケット１０４が形成してあり、この中に前側握り把手１０６Ｆの基部が縫い付けてある。そこで、前側握り把手１０６Ｆを使用しない時には上ポケット１０４の中に押し込んで外から見えないようにすることができる。そして本７ウェイバッグ１を図１、図２に示す縦型手提げバッグ形態１−１にしてあるいは図４に示す横型手提げバッグ形態１−２にして使用する場合には、上ポケット１０４から前側握り把手１０６Ｆを引っ張り出して使用する。主収納部１００の上半部１０１の下部には、前ポケット１０５が形成してある。
【００２６】
主収納部１００の上半部１０１の背面側にはこの上半部１０１とほぼ同サイズの背側目隠しパーツ１０９がその上縁と両側縁だけ縫い付けてある。この背側目隠しパーツ１０９はその下端部は主収納部１００の上半部１０１の背面に縫い付けないで、下側に開口する下側開口部１０７にしてある。したがって、この下側開口部１０７から背側目隠しパーツ１０９と上半部１０１の背面との間にユーザーが手を差し入れることのできる隙間ができている。また背側目隠しパーツ１０９の左右側部それぞれにも耳出し入れ用開口部１１０，１１１が形成してあり、前述の背側目隠しパーツ１０９と上半部１０１の背面との間の隙間に連通させてある。
【００２７】
前述の耳出し入れ用開口部１１０，１１１それぞれの近くにおいて、上半部１０１の背面の左右の側縁部それぞれに三角形若しくは台形状の耳部１１２，１１３の基部が縫い付けてある。図１０に示すように、これら左右の耳部１１２，１１３それぞれの先端部にはＤカン１１９，１２１それぞれが取り付けてある。これらの耳部１１２，１１３それぞれは耳出し入れ用開口部１１０，１１１を通して背側目隠しパーツ１０９と上半部１０１の背面との間の隙間に押し込めば外から見えなくして外観を良くすることができ、また必要なときにはそれらの耳出し入れ用開口部１１０，１１１から引っ張り出すことで使用できるようになる。
【００２８】
背側目隠しパーツ１０９の上部には背側ポケット１０８が設けてある。この背側ポケット１０８の中の上端近くに、背側握り把手１０６Ｂの基部が縫い付けてある。そこで、背側握り把手１０６Ｂを使用しない時には背側ポケット１０８を開いてその中にこの背側握り把手１０６Ｂを押し込むことによって外から見えないように収納することができる。本７ウェイバッグ１を図１、図２に示す縦型手提げバッグ形態１−１で使用し、また図４に示す横型手提げバッグ形態１−２で使用する場合には、この背側ポケット１０８を開いてポケット内から背側握り把手１０６Ｂを引っ張り出して使用する。
【００２９】
図１、図２に詳しく示すように、主収納部１００の上半部１０１の一側の上端、下端それぞれの近くにＤカン１１４，１１６が取り付けてあり、また上半部１０１の他側の背面側の上端近くにもＤカン１１５が取り付けてある。
【００３０】
ショルダーストラップ１２０としては、その両端にナスカン１２２，１２３が取り付けてあり、また長さ調整が可能なものを使用する。
【００３１】
次に、上記構成の７ウェイバッグ１の使用形態、使用方法について説明する。本実施の形態の７ウェイバッグ１は、主収納部１００の上半部１０１に対してその下部の下半部１０２を適切な寸法だけ背側に折り返し、背側目隠しパーツ１０９の内側に押し込むことにより、縦型のフルサイズからその半分の横型のハーフサイズまで収容物の大きさに応じたサイズで使用できる点が１つの利点がある。そして、７ウェイバッグとして次のような７形態間で自在に変形して使用できる利点がある。
【００３２】
［縦型手提げバッグ形態］
図１、図２は縦型手提げバッグ形態１−１を示している。この縦型手提げバッグ形態１−１では、主収納部１００の上半部１０１と下半部１０２を展開した状態で縦長にし、上ポケット１０４から前側握り把手１０６Ｆを引き出し、背側ポケット１０８から背側握り把手１０６Ｂを引き出し、両方の握り把手１０６Ｆ，１０６Ｂを握って持ち運ぶ。この際には、上開口部１０３を開閉して物品を出し入れすることができ、Ａ３サイズの用紙の大きさまでの物品を収納して持ち運ぶができる。この縦型手提げバッグ形態１−１での使用時には、主収納部１００は最大容積となる。
【００３３】
［横型手提げバッグ形態］
図４に示す横型手提げバッグ形態１−２では、Ａ３サイズの半分のＡ４サイズの用紙の大きさのものを横長にして収納して持ち運ぶことができる。図１、図２の縦型手提げバッグ形態１−１からこの横型手提げバッグ形態１−２に変形させるには、図３に示すように、主収納部１００の下半部１０２を背側に折り、背側目隠しパーツ１０９と上半部１０１の背面との間の隙間に下側開口部１０７から押し込み、最大で半分の大きさまで中身のサイズに合わせて変形することができる。
【００３４】
［縦型ボディバッグ形態］
本実施の形態の７ウェイバッグ１は、図５、図８に示すように縦型ボディバッグ形態１−３で使用することができる。この場合には、主収納部１００は二つ折り状態で、かつ、縦長にして用いる。そこで、図６に示すように、上半部１０１の上ポケット１０４を開いて前側握り把手１０６Ｆを押し込んで収納し、また図示していないが背側ポケット１０８を開いてそのポケット内に背側握り把手１０６Ｂを押し込んで収納することによってこれらの握り把手１０６Ｆ，１０６Ｂが外側から見えないようにする。そして、図７に示すように上半部１０１の一側の耳出し入れ用開口部１１１から中の耳部１１３を引っ張り出す。そして、耳部１１３の先端のＤカン１２１にショルダーストラップ１２０の一方の端部のナスカン１２２を係合して接続し、またショルダーストラップ１２０の他方の端部のナスカン１２３を上半部１０１の他側の左右いずれかのＤカン１１４又は１１６に係合して接続する。
【００３５】
尚、図５、図８に示す縦型ボディバッグ形態１−３は、ショルダーストラップ１２０のナスカン１２３を上半部１０１の背面側から見て右側下端に位置するＤカン１１６に係合した状態を示している。そして図９に示す形態１−３Ｒは、ショルダーストラップ１２０のナスカン１２３を上半部１０１の背面側から見て左側下端に位置するＤカン１１４に係合した状態を示している。ユーザーによって右肩からたすき掛けにする使用形態を好む人もいれば、左肩からたすき掛けにする使用形態を好む人もいるので、そのいずれの嗜好にも対応できる。
【００３６】
［ウエストバッグ形態］
図１０に示すウエストバッグ形態１−４での使用の場合には、図５、図８に示した縦型ボディバッグ形態１−３から、さらに、他側の耳出し入れ用開口部１１０からその中の耳部１１２を引っ張り出し、ショルダーストラップ１２０の他端のナスカン１２３を引き出した耳部１１２の先端のＤカン１１９に係合する。そしてショルダーストラップ１２０の長さをユーザーの腰回りのサイズに応じて長短調整する。
【００３７】
［クラッチバッグ形態］
図１０のウエストバッグ形態１−４から変形して図１１に示すクラッチバッグ形態１−５で使用する場合には、ショルダーストラップ１２０を取り外し、耳部１１２，１１３それぞれを耳出し入れ用開口部１１０，１１１それぞれから中に押し込む。そして前後の握り把手１０６Ｆ，１０６Ｂそれぞれも収納した状態にする。
【００３８】
このクラッチバッグ形態１−５での使用では、縦長のフルサイズから横長のサーフサイズまでの大きさの物品を収納する場合には中身の大きさに応じて下半部１０２の折り返し代を長短調整することで中身の大きさに応じたサイズにすることができる。最大半分まで折り返した場合には、主収納部１００の半分のサイズ、つまりＡ４サイズの用紙の大きさまでの物品を主収納部１００の上半部１０１に収納して持ち運ぶことができることになる。
【００３９】
［横型ショルダーバッグ形態］
図１２に示す横型ショルダーバッグ形態１−６で使用する場合には、図１３に示したように、図１１に示したクラッチバッグ形態１−５からショルダーストラップ１２０の両端のナスカン１２２，１２３それぞれを上半部１０１の上端左右に位置するＤカン１１４，１１５それぞれに係合することによって形態を変更して使用する。
【００４０】
［縦型ショルダーバッグ形態］
図１４に示す縦型ショルダーバッグ形態１−７で使用する場合には、図１２に示す横型ショルダーバッグ形態１−６から図１５に示したように上半部１０１の背面側と背側目隠しパーツ１０９との間の隙間に押し込んである下半部１０２を下側開口部１０７から引っ張り出して縦長の状態に変形して使用する。
【００４１】
尚、上記の実施の形態では主収納部１００はＡ３サイズの用紙が収納できる大きさとしたが、大きさが特に限定されるものではない。しかしながら、Ａ３サイズにしたり、Ａ３ファイルが入る大きさにしたり、Ｂ４サイズの用紙が収納できる大きさ、さらにはＢ４ファイルが入る大きさにしたりすることによって、広く利用されている規格サイズの用紙や用紙ファイルの持ち運びに広く利用できて利便性がよいものとなる。
【００４２】
このようにして本実施の形態の７ウェイバッグ１では、主収納部１００を二つ折りしたり展開したりすることによって大サイズやその半分のハーフサイズで使用することができ、また縦長で使用したり横長で使用したりすることができ、しかも縦長状態、横長状態それぞれで握り把手１０６Ｆ，１０６Ｂを持って縦型手提げバッグ形態１−１にしあるいは横型手提げバッグ形態１−２にして使用したり、ストラップ接続用のＤカン１１４，１１５，１１６にショルダーストラップ１２０のナスカン１２２，１２３を係合することによって横型ショルダーバッグ形態１−６にしあるいは縦型ショルダーバッグ形態１−７にして使用したり、横長に二つ折りにした状態でそのままクラッチバッグ形態１−５にして使用したり、片側の耳部１１３だけを引き出してショルダーストラップ１２０を接続することによりたすき掛けのボディバッグ形態１−３，１−３Ｒにして使用したり、さらには両方の耳部１１２，１１３を引き出してそれぞれの先端のＤカン１１９，１２１にショルダーストラップ１２０を接続しその長さを調節することによってウエストバッグ形態１−４にして使用したりすることができ、７ウェイに使用できる利便性がある。
【００４３】
また、本実施の形態の７ウェイバッグ１によれば、主収納部１００は、二つ折りの横長の形態にした時に表側になる上半部１０１の背面側に下側に開口する背側目隠しパーツ１０９を縫い付け、二つ折りの横長の状態時に背面側に折られた主収納部１００の下半部１０２を背側目隠しパーツ１０９と上半部１０１の背面との間の隙間に下側開口部１０７から差し込むようにしているので、横長の状態で使用するときに主収納部１００の下半部１０２が表側から見えないように隠すことができ、使用時の見栄えを向上させることができる。
【００４４】
また、本実施の形態の７ウェイバッグ１によれば、主収納部１００の背側目隠しパーツ１０９の両側部それぞれに両側の耳部１１２，１１３それぞれを差し込むための耳出し入れ用開口部１１０，１１１を設けているので、耳部１１２，１１３を使用しないときにはその耳出し入れ用開口部１１０，１１１から背側目隠しパーツ１０９と上半部１０１の背面との間の隙間に差し込んで表側から見えなくすることができ、この点でも見栄えを向上させることができる。
【００４５】
尚、本発明は上記実施の形態の７ウェイバッグ１に限定されるものではなく、次のような変形も可能である。すなわち、耳部１１２，１１３を設けず、したがって耳出し入れ用開口部１１０，１１１も設けない実施の形態で、図１、図２に示す縦長で大きいサイズの縦型手提げ形態１−１、図４に示す横長で半分のサイズの横型手提げ形態１−２、図１１に示すクラッチバッグ形態１−５、図１２に示す横型ショルダーバッグ形態１−６、そして図１４に示す縦型ショルダーバッグ形態１−７の５形態間で任意に変形して使用できる５ウェイのマルチウェイバッグとすることができる。
【００４６】
また、上記の実施の形態の７ウェイバッグ１に対して、片側の耳部１１２又は１１３しか設けない実施の形態で、図１、図２に示す縦長で大きいサイズの縦型手提げ形態１−１、図４に示す横長で半分のサイズの横型手提げ形態１−２、図５、図８に示す半分のサイズで縦長にしてたすき掛けで使用するボディバッグ形態１−３（図９に示す左右逆のボディバッグ形態１−３Ｒも省略することもできる）、図１１に示すクラッチバッグ形態１−５、図１２に示す横型ショルダーバッグ形態１−６、そして図１４に示す縦型ショルダーバッグ形態１−７の６形態間で任意に変形して使用できる６ウェイのマルチウェイバッグとすることもできる。
【００４７】
＜第２の実施の形態＞
本発明の第２の実施の形態の２ウェイバッグ１Ａについて説明する。第１の実施の形態の７ウェイバッグ１では縦長の主収納部１００を中身の大きさに応じて縦寸法のほぼ半分の寸法まで折り曲げ、中身のサイズに応じて自在に変形して使用することができるものであった。これに対して、本実施の形態の２ウェイバッグ１Ａは、主収納部１００のサイズは変えられないが、横長の横型手提げバッグ形態と縦型ボディバッグ形態の２形態間で形態を変化させて使用することができる。尚、本実施の形態の２ウェイバッグの場合、クラッチバッグの形態を考慮しない場合には、主収納部１００のマチ（前後幅）は大きくてもよく、また形状も四隅が丸まった形状であってもよい。つまり、リュックサックやボストンバッグの形状であってもよい。 
【００４８】
図１６、図１７に示すように、本実施の形態の２ウェイバッグ１Ａは、横長の主収納部１００を備えている。主収納部１００の上縁全長とその上縁から一方の側面のほぼ全長に渡る長さの上開口部１０３が設けてあり、線状ファスナーにてＬ字状に開閉できるようにしてある。
【００４９】
主収納部１００の表面の上端近くには上ポケット１０４が形成してあり、この中に前側握り把手１０６Ｆの基部が縫い付けてある。そこで、前側握り把手１０６Ｆを使用しない時には上ポケット１０４の中に押し込んで外から見えないようにできる。主収納部１００の表面の上下中間部近くには前ポケット１０５が設けてある。
【００５０】
主収納部１００の背面の上端近くには背側ポケット１０８が設けてある。この背側ポケット１０８の中の上端近くに、背側握り把手１０６Ｂの基部が縫い付けてある。そこで、背側握り把手１０６Ｂを使用しない時には背側ポケット１０８を開いてそのポケット内にこの背側握り把手１０６Ｂを押し込むことによって外から見えないように収納することができる。
【００５１】
主収納部１００の背面側の片側端部には、耳出し入れ用開口部１１１が形成してある。この耳出し入れ用開口部１１１の近くにおいて、主収納部１００の背面の側縁部に耳部１１３の基部が縫い付けてある。そして耳部１１３の先端部にはＤカン１１９が取り付けてある。この耳部１１３は耳出し入れ用開口部１１１からその中に押し込めば外から見えなくでき、また必要なときには引っ張り出して使用できる。また主収納部１００の背面側の耳部１１３とは反対側の側縁部の上端、下端それぞれの近くにＤカン１１４，１１６が取り付けてある。
【００５２】
ここでも、ショルダーストラップ１２０としては、その両端にナスカン１２２，１２３が取り付けてあるものを使用することができる。
【００５３】
次に、上記構成の２ウェイバッグ１Ａの使用形態、使用方法について説明する。
【００５４】
［横型手提げバッグ形態］
横型手提げバッグ形態にして使用する場合には、耳部１１３を耳出し入れ用開口部１１１からその中に押し込んで外から見えない状態にする。そして前側握り把手１０６Ｆ、背側握り把手１０６Ｂそれぞれを引き出して使用する。ストラップ１２０は使用しないので、主収納部１００や上ポケット１０４、前ポケット１０５あるいは背側ポケット１０８内に収納しておくことができる。この使用形態は、第１の実施の形態における図４に示した横型手提げバッグ形態１−２とほぼ同様になる。
【００５５】
［縦型ボディバッグ形態］
本実施の形態の２ウェイバッグ１Ａは、第１の実施の形態における図５、図８に示した縦型ボディバッグ形態１−３、若しくは同図９に示した縦型ボディバッグ形態１−３Ｒとほぼ同様の形態にして使用できる。この場合には、主収納部１００は縦長にして用いる。そこで、上ポケット１０４を開いて前側握り把手１０６Ｆを押し込んで収納し、また背側ポケット１０８を開いてそのポケット内に背側握り把手１０６Ｂを押し込んで収納することによってこれらの握り把手１０６Ｆ，１０６Ｂを外側から見えないようにする。そして、片側の耳出し入れ用開口部１１１から中の耳部１１３を引っ張り出す。そして、耳部１１３の先端のＤカン１２１にショルダーストラップ１２０の一方の端部のナスカン１２２を係合して接続し、またショルダーストラップ１２０の他方の端部のナスカン１２３を上下いずれかのＤカン１１４又は１１６に係合して接続する。Ｄカン１１４と係合するかＤカン１１６と係合するかは、ユーザーの嗜好による。右肩からたすき掛けにする使用形態を好む人もいれば、左肩からたすき掛けにする使用形態を好む人もいるので、そのいずれの嗜好にも対応できる。
【００５６】
このようにして第２の実施の形態の２ウェイバッグ１Ａによれば、横型手提げバッグ形態と縦長ボディバック形態との２形態間で簡単にバッグ形態を変化させて使用することができる。特に従来知られていないボディバッグ形態と手提げバッグ形態との２形態間で形態を簡単に変化させて使用できるのは、新規であり利便性がある。
【００５７】
＜第３の実施の形態＞
図１６、図１８を参照して、本発明の第３の実施の形態の４ウェイのマルチウェイバッグ１Ｂについて説明する。本実施の形態の４ウェイバッグ１Ｂは、第２の実施の形態と同様に横長の主収納部１００を備えている。主収納部１００の上縁全長とその上縁から一方の側面のほぼ全長に渡る長さの上開口部１０３が設けてあり、線状ファスナーにてＬ字状に開閉できるようにしてある。尚、図１６は第２の実施の形態に関連して用いたものであるが、外観が共通するので第３の実施の形態の説明でも参照する。しかしながら、本実施の形態の４ウェイバッグの場合には、２ウェイバッグの場合とはマチ（前後幅）が異なり得る。
【００５８】
主収納部１００の表面の上端近くには上ポケット１０４が形成してあり、この中に前側握り把手１０６Ｆの基部が縫い付けてある。そこで、前側握り把手１０６Ｆを使用しない時には上ポケット１０４の中に押し込んで外から見えないようにできる。主収納部１００の表面の上下中間部の近くには前ポケット１０５が設けてある。
【００５９】
主収納部１００の背面の上端近くには背側ポケット１０８が設けてある。この背側ポケット１０８の中の上端近くに、背側握り把手１０６Ｂの基部が縫い付けてある。そこで、背側握り把手１０６Ｂを使用しない時には背側ポケット１０８を開いてそのポケット内にこの背側握り把手１０６Ｂを押し込むことによって外から見えないように収納することができる。
【００６０】
主収納部１００の背面側の片側端部には、耳出し入れ用開口部１１１が形成してある。この耳出し入れ用開口部１１１の近くにおいて、主収納部１００の背面の側縁部に耳部１１３の基部が縫い付けてある。そして耳部１１３の先端部にはＤカン１１９が取り付けてある。この耳部１１３は耳出し入れ用開口部１１１からその中に押し込めば外から見えなくでき、また必要なときには引っ張り出して使用できる。また主収納部１００の背面側の耳部１１３とは反対側の側縁部の上端、下端それぞれの近くにＤカン１１４，１１６が取り付けてある。さらに、耳出し入れ用開口部１１１の上側に、Ｄカン１１４と同じ高さ位置にもう１つのＤカン１１５が取り付けてある。
【００６１】
ここでも、ショルダーストラップ１２０としては、その両端にナスカン１２２，１２３が取り付けてあるものを使用する。
【００６２】
次に、上記構成の４ウェイバッグ１Ｂの使用形態、使用方法について説明する。
【００６３】
［横型手提げバッグ形態］
横型手提げバッグ形態にして使用する場合には、耳部１１３を耳出し入れ用開口部１１１からその中に押し込んで外から見えない状態にする。そして前側握り把手１０６Ｆ、背側握り把手１０６Ｂそれぞれを引き出して使用する。ストラップ１２０は使用しないので、主収納部１００や上ポケット１０４、前ポケット１０５あるいは背側ポケット１０８内に収納しておくことができる。この使用形態は、第１の実施の形態における図４に示した横型手提げバッグ形態１−２とほぼ同様になる。
【００６４】
［縦型ボディバッグ形態］
本実施の形態の４ウェイバッグ１Ｂは、第１の実施の形態における図５、図８に示した縦型ボディバッグ形態１−３、若しくは同図９に示した縦型ボディバッグ形態１−３Ｒとほぼ同様の形態にして使用できる。この場合には、主収納部１００は縦長にして用いる。そこで、上ポケット１０４を開いて前側握り把手１０６Ｆを押し込んで収納し、また背側ポケット１０８を開いてそのポケット内に背側握り把手１０６Ｂを押し込んで収納することによってこれらの握り把手１０６Ｆ，１０６Ｂを外側から見えないようにする。そして、片側の耳出し入れ用開口部１１１から中の耳部１１３を引っ張り出す。そして、耳部１１３の先端のＤカン１２１にショルダーストラップ１２０の一方の端部のナスカン１２２を係合して接続し、またショルダーストラップ１２０の他方の端部のナスカン１２３を上下いずれかのＤカン１１４又は１１６に係合して接続する。Ｄカン１１４と係合するかＤカン１１６と係合するかは、ユーザーの嗜好による。右肩からたすき掛けにする使用形態を好む人もいれば、左肩からたすき掛けにする使用形態を好む人もいるので、そのいずれの嗜好にも対応できる。
【００６５】
［クラッチバッグ形態］
クラッチバッグ形態で使用する場合には、ショルダーストラップ１２０を取り外し、耳部１１３を耳出し入れ用開口部１１１から中に押し込む。そして前後の握り把手１０６Ｆ，１０６Ｂそれぞれも収納した状態にする。この場合、図１１に示した第１の実施の形態のクラッチバッグ形態１−５とほぼ同様の外観になる。
【００６６】
［横型ショルダーバッグ形態］
横型ショルダーバッグ形態で使用する場合には、前述のクラッチバッグ形態から、ストップ１２０を使用してその両端のナスカン１２２，１２３それぞれを主収納部１００の背面側の上端左右に位置するＤカン１１４，１１５それぞれに係合することによって形態を変更して使用する。この場合も、図１２に示した第１の実施の形態の横型ショルダーバッグ形態１−６とほぼ同様の外観になる。
【００６７】
このようにして第３の実施の形態の４ウェイバッグ１Ｂによれば、横型手提げバッグ形態、横型ショルダーバッグ形態、クラッチバッグ形態、縦型ボディバッグ形態の４形態間で簡単にバッグ形態を変化させて使用することができる。特に従来知られていない縦型ボディバッグ形態への形態変更も簡単にでき、新規であり利便性がある。
【００６８】
尚、本発明は上記の第１〜第３の実施の形態に限定されるものではなく、種々の変形が可能である。特に、前側握り把手、背側握り把手の収納形式に関しては、上ポケット、背側ポケット内にスライド式で収納、引き出しできる形式にすることができる。また耳部に関しても、折り曲げて耳出し入れ用開口部から出し入れする形式に代えて、スライド式で収納、引き出しできる形式にすることも可能である。

【符号の説明】
【００６９】
１  ７ウェイバッグ
１Ａ  ２ウェイバッグ
１Ｂ  ４ウェイバッグ
１−１  縦型手提げバッグ形態
１−２  横型手提げバッグ形態
１−３，１−３Ｒ  縦型ボディバッグ形態
１−４  ウエストバッグ形態
１−５  クラッチバッグ形態
１−６  横型ショルダーバッグ形態
１−７  縦型ショルダーバッグ形態
１００  主収納部
１０１  上半部
１０２  下半部
１０３  上開口部
１０４  上ポケット
１０５  前ポケット
１０６Ｆ  前側握り把手
１０６Ｂ  背側握り把手
１０７  下側開口部
１０８  背側ポケット
１０９  背側目隠しパーツ
１１０，１１１  耳出し入れ用開口部
１１２，１１３  耳部
１１４，１１５，１１６  Ｄカン
１１９  Ｄカン
１２０  ショルダーストラップ
１２１  Ｄカン
１２２，１２３  ナスカン
【要約】
【課題】収納部のサイズを大小変化させることができ、かつ、多様な方ができるマルチウェイバックを提供する。
【解決手段】  サイズが大きい縦長の形態からサイズが半分の横長の形態に二つ折りし、またその逆の形態に展開できる主収納部１００と、主収納部１００を二つ折りした横長状態で背面となる部分の両側縁それぞれに設けた、展開折り込みが可能で先端にストラップ接続用のＤカン１１９，１２１が取り付けられた耳部１１２，１１３と、主収納部１００を展開した縦長の状態で上端縁になる部分の中央部に設けた握り把手１０６Ｆ，１０６Ｂと前記上端縁の左右端部それぞれに設けたストラップ接続用のＤカン１１４，１１５とを備え、縦型手提げ、横型手提げ、縦型ボディバッグ、ウエストバッグ、クラッチバッグ、縦型ショルダーバッグ、横型ショルダーバッグの７ウェイバッグを特徴とする。
【選択図】    図１【図１】
0006046223.tif 000002
【図２】
0006046223.tif 000003
【図３】
0006046223.tif 000004
【図４】
0006046223.tif 000005
【図５】
0006046223.tif 000006
【図６】
0006046223.tif 000007
【図７】
0006046223.tif 000008
【図８】
0006046223.tif 000009
【図９】
0006046223.tif 000010
【図１０】
0006046223.tif 000011
【図１１】
0006046223.tif 000012
【図１２】
0006046223.tif 000013
【図１３】
0006046223.tif 000014
【図１４】
0006046223.tif 000015
【図１５】
0006046223.tif 000016
【図１６】
0006046223.tif 000017
【図１７】
0006046223.tif 000018
【図１８】
0006046223.tif 000019